(57)【要約】【課題】本発明は、あぶみに足の指を掛けるようにして、揺動型運動装置本来の身体への運動効果が減少するおそれの少ない揺動型運動装置の提供を目的とする。【解決手段】座部を有する装置本体１０と、あぶみ２とを備えている。あぶみ２は、装置本体１０に吊り下げられた吊り下げ部３と、足指掛け部４とを備えた逆Ｔ字状のものから構成されており、足の指の間に吊り下げ部３を挟みこむようにして足の指を足指掛け部４に掛けるようになっている。【選択図】図１
2010188036.tif 000002
【特許請求の範囲】
【請求項１】
揺動運動可能な座部を有する装置本体と、その装置本体の左右両側に配設されたあぶみとを備え、その座部に跨って着座した使用者の足を前記あぶみに掛けた状態で運動負荷を付与可能とした揺動型運動装置であって、
前記あぶみは、装置本体に吊り下げられた吊り下げ部と、吊り下げ部の下端に配設された足指掛け部とを備え、
前記足指掛け部は、前記吊り下げ部を足の指で挟みこむようにしてその指を掛け得るように、前記吊り下げ部から左右両側方夫々に突出するように構成されていることを特徴とする揺動型運動装置。
【請求項２】
前記あぶみは、前記吊り下げ部と足指掛け部とによって全体形状が略逆Ｔ字状を呈するように構成され、
前記足指掛け部は、足の指を掛け得、且つ、足の指以外の他の部分を載せて体重をかけ難いような長さを有するものとされていることを特徴とする請求項１記載の揺動型運動装置。
【請求項３】
前記足指掛け部の上面は、前記吊り下げ部から突出先端側に行くに従って漸次高さが低くなるように構成されていることを特徴とする請求項１または２記載の揺動型運動装置。
【請求項４】
前記足指掛け部は、その上面に、上面から窪まされた足指載置用凹部を備えていることを特徴とする請求項１または２記載の揺動型運動装置。
【請求項５】
前記吊り下げ部は、前記足の指の間に挟まれる左右両側部の少なくとも一方に、その挟んだ足の指の内側部を押圧する足指押圧用突片を備えていることを特徴とする請求項１〜４のいずれか一項に記載の揺動型運動装置。
【発明の詳細な説明】
【技術分野】
【０００１】
本発明は、座部を揺動運動させることで、座部に着座した使用者に運動負荷を付与する揺動型運動装置に関するものである。
【背景技術】
【０００２】
前記のような揺動型運動装置は、子供から老人まで利用可能な手軽な運動器具として、当初のスポーツクラブから、一般家庭へと普及してきている。
【０００３】
このような揺動型運動装置としては、例えば、次のようなものが従来から知られている（例えば、特許文献１参照）。この従来の揺動型運動装置は、装置本体に設けた鞍状の座部に使用者が跨って着座するとともに、この座部の左右の両側位置にあぶみを吊下げ、これらのあぶみに使用者の足を載せ得るようになっている。そして、このあぶみに足を載せた状態で、座部に揺動運動をさせることにより、使用者に運動負荷をかけるようにしたものである。
【０００４】
また、近年では、そのようなあぶみとして、使用者が足先を挿入するとともに足先を載せる輪部を有するものも提案されている。
【先行技術文献】
【特許文献】
【０００５】
【特許文献１】特開２００４−２１６０７３号公報
【発明の概要】
【発明が解決しようとする課題】
【０００６】
ところで、このような揺動型運動装置は、座部の揺動に際し、例えば使用者が座部を大腿部で挟み込むようにしてバランスをとることによって大腿筋を自然と使用することができるように考慮されている。しかしながら、上記従来のあぶみでは、あぶみに載せた足に十分に力をかけることができるため、使用者は、座部の揺動に際し、座部を大腿部で挟み込まずに足に力をかけてしまう。その結果、揺動型運動装置本来の身体への運動効果が減少するおそれがあるという問題点がある。
【０００７】
本発明は、あぶみに足の指を掛けるようにして、揺動型運動装置本来の身体への運動効果が減少するおそれの少ない揺動型運動装置の提供を目的とする。
【課題を解決するための手段】
【０００８】
上記課題を解決するため、請求項１の発明は、揺動運動可能な座部を有する装置本体と、その装置本体の左右両側に配設されたあぶみとを備え、その座部に跨って着座した使用者の足を前記あぶみに掛けた状態で運動負荷を付与可能とした揺動型運動装置であって、
前記あぶみは、装置本体に吊り下げられた吊り下げ部と、吊り下げ部の下端に配設された足指掛け部とを備え、前記足指掛け部は、前記吊り下げ部を足の指で挟みこむようにしてその指を掛け得るように、前記吊り下げ部から左右両側方夫々に突出するように構成されていることを特徴とする揺動型運動装置を提供する。
【０００９】
請求項２のように、前記あぶみは、前記吊り下げ部と足指掛け部とによって全体形状が略逆Ｔ字状を呈するように構成され、前記足指掛け部は、足の指を掛け得、且つ、足の指以外の他の部分を載せて体重をかけ難いような長さを有するものとされていることが好ましい。
【００１０】
請求項３のように、前記足指掛け部の上面は、前記吊り下げ部から突出先端側に行くに従って漸次高さが低くなるように構成されていることが好ましい。
【００１１】
請求項４のように、前記足指掛け部は、その上面に、上面から窪まされた足指載置用凹部を備えていることが好ましい。
【００１２】
請求項５のように、前記吊り下げ部は、前記足の指の間に挟まれる左右両側部の少なくとも一方に、その挟んだ足の指の内側部を押圧する足指押圧用突片を備えていることが好ましい。
【発明の効果】
【００１３】
本発明の請求項１によれば、あぶみは、吊り下げ部から左右両側方夫々に突出するように構成された足指掛け部を備えているため、跨って座った使用者の足を掛けることができ、足を楽な状態にして運動負荷をかけ得る。その際、足指掛け部に足の指を掛けるため、その掛けた足の指に体重を掛け難いものにできる。従って、座部の揺動に際し、使用者に、座部を大腿部で挟み込ませるようにして身体のバランスをとらせ大腿筋を自然と使用させるように誘発でき、揺動型運動装置本来の身体への運動効果が減少するおそれの少ないものにできる。
【００１４】
請求項２によれば、足指掛け部は、足の指を掛け得、且つ、足の指以外の他の部分を載せて体重をかけ難いような長さを有するものとものとされている。
【００１５】
これにより、使用者は、間違って足指掛け部に足の指以外の他の部分を載せた場合でも当該他の部分に体重をかけるようなことを防止でき、確実に、揺動型運動装置本来の身体への運動効果を発揮し得るものにできる。
【００１６】
請求項３によれば、足指掛け部の上面は、前記吊り下げ部から突出先端側に行くに従って漸次高さが低くなるように構成されている。これにより、足指掛け部に足の指を容易に掛けることができる。
【００１７】
請求項４によれば、足指掛け部は、その上面に、上面から窪まされた足指載置用凹部を備えている。これにより、足指掛け部に足の指を掛けた状態にしておいても、例えば足の指が痛くなるおそれの少ないものにでき、指を掛けた状態を維持し易いものにできる。
【００１８】
請求項５によれば、あぶみの吊り下げ部は、足の指の間に挟まれる左右両側部の少なくとも一方に、その挟んだ足の指の内側部を押圧する足指押圧用突片を備えている。
【００１９】
これにより、あぶみに足の指を掛けた際に、足指押圧用突片によって、その挟んだ足の指の内側部を押圧することができ、指を刺激して脳活性効果を期待できる。
【図面の簡単な説明】
【００２０】
【図１】本発明の揺動型運動装置の一実施形態の斜視図である。
【図２】図１の揺動型運動装置の側面図である。
【図３】あぶみの一実施形態の拡大斜視図である。
【図４】あぶみに足の指を掛けた状態の拡大斜視図である。
【図５】あぶみの他の実施形態の拡大斜視図である。
【図６】あぶみの更に他の実施形態の拡大斜視図である。
【図７】あぶみのもう一つの他の実施形態の拡大斜視図である。
【発明を実施するための形態】
【００２１】
以下、本発明を実施するための最良の形態について、図面を参照しながら詳細に説明する。図１は揺動型運動装置１の斜視図、図２は、図１の揺動型運動装置１の側面図である。
【００２２】
この揺動型運動装置１は、図１、図２に示すように、装置本体１０と、あぶみ（鐙）２とを備えている。装置本体１０は、使用者が跨って着座可能な座部１１と、この座部１１の下方側に座部１１を揺動運動させる運動機構１２及び前記座部１１の高さを調節する昇降機構１３とを備えている。
【００２３】
前記運動機構１２は、具体的に図示しないが、内蔵された電動モータ、クランクアーム等によって、座部１１を前後方向、左右方向、上下方向に３次元的に揺動運動させるものである。
【００２４】
前記昇降機構１３は、具体的に図示しないが、内蔵された電動モータ、ラック・ピニオン（若しくはねじ軸）等によって、座部１１を上昇位置Ｕと下降位置Ｄとに昇降させて、座部１１の高さを調節するものである。
【００２５】
尚、前記座部１１側と運動機構１２側との間の隙間は、伸縮自在な目隠し用カバー２０（図２に二点鎖線で示す）で覆うことが好ましい。また、この実施形態では、座部１１の前部に、前後方向に揺動可能なハンドル１６が設けられている。
【００２６】
あぶみ２は、装置本体１０の左右の両側方側の夫々に配設された２つから構成されている。これらは、左右対称形状の左右一対のものである。以下、左側（図１では右側に現われている）のものについて説明し、右側のものの説明を省略する。
【００２７】
このあぶみ２は、合成樹脂成型品であり、吊り下げ部３と、吊り下げ部３の下端に設けられた足指掛け部４とを備えている。
【００２８】
吊り下げ部３は、この実施形態では、足Ａの第一趾Ａ１（親指）と第二趾Ａ２との間に入れ得る程度の厚さの長尺板状のものから構成されており（図４参照）、長手方向に沿って３つの高さ位置調整用の係止孔３１を備えている。
【００２９】
この実施形態の係止孔３１は、夫々、図３に示すようにピン挿入孔３１ａと、ピン係止孔３１ｂとから構成されており、装置本体１０に設けられた下ヒンジピン１５ｆ（図２参照）がピン挿入孔３１ａから挿入されてピン係止孔３１ｂと回動自在に、且つ係脱自在に係止するように構成されている。
【００３０】
詳しくは、図１、図２に示すように装置本体１０における前下部の左右両側方側には、夫々、取付け金具１７が固定されており、その取付け金具１７の下端に、上ヒンジピン１４が側方に突出して固定されている。また、この上ヒンジピン１４に、連結部材１５ｃの上端が前後方向に回動し得るように吊下げられている。
【００３１】
そして、この連結部材１５ｃの下端に、下ヒンジピン１５ｆが側方に突出するように固定されている。また、この下ヒンジピン１５ｆは、図示しないが、軸部と、軸部よりも径大な頭部とを備えたものからなる。
【００３２】
係止孔３１のピン挿入孔３１ａは、下ヒンジピン１５ｆの頭部よりも径大な円形状に形成されており、下ヒンジピン１５ｆの頭部を通すことができるようになっている。
【００３３】
ピン係止孔３１ｂは、下ヒンジピン１５ｆの軸部の径と同程度の幅でピン挿入孔３１ａから上方側に所定長さで延ばされており、ピン挿入孔３１ａから下ヒンジピン１５ｆの軸部を内部に入れてピン挿入孔３１ａと回動自在に係止するようになっている。
【００３４】
また、このピン挿入孔３１ａに下ヒンジピン１５ｆの軸部が入った状態で、吊り下げ部３が下ヒンジピン１５ｆから抜け止めされるとともに、吊り下げ部３の下端が前後方向に回動する。
【００３５】
又、これらの３つの係止孔３１のいずれかを選択して、下ヒンジピン１５ｆに係止することにより、座部１１に対する足指掛け部４の高さ位置を調整できる。
【００３６】
足指掛け部４は、座部１１に座った使用者が吊り下げ部３を挟むようにして足の指を掛けるためのもので、吊り下げ部３から右側方側（図３では左側）に突出するようにして設けられた第１足指掛け部４１と、吊り下げ部３から、第１足指掛け部４１と反対側の左側方側に突出するようにして設けられた第２足指掛け部４２とを備えている。
【００３７】
この実施形態では、第１足指掛け部４１と第２足指掛け部４２とは、吊り下げ部３と一体的に円柱状に、吊り下げ部３に対して互いに左右対称に形成されている。また、第１足指掛け部４１と第２足指掛け部４２との夫々の上面は、足の指を載せる足指載置部４３を構成している。
【００３８】
又、この実施形態では、図３、図４に示すように、第１足指掛け部４１及び第２足指掛け部４２夫々は、吊り下げ部３から突出先端までの長さＬが、足の指を１本〜２本、掛け得る程度の長さとされ、足の指以外の他の部分を足指載置部４３に載せた場合にその載せた部分に体重をかけ難いような長さとされている。
【００３９】
以上のように構成された揺動型運動装置１を使用する場合は、座部１１に使用者が跨って着座する。又、その状態で、例えば図４に示すようにあぶみ１５の吊り下げ部３を、足Ａの第一趾Ａ１と第二趾Ａ２との間に入れて挟み込むようにするとともに、第１足指掛け部４１の足指載置部４３に第一趾Ａ１を、第２足指掛け部４２の足指載置部４３に第二趾Ａ２を、夫々載せるようにして掛ける。
【００４０】
そして、その状態から、座部１１を揺動運動させる。これにより、使用者に運動負荷が付与される。その際、使用者は足指掛け部に掛けた足の指に全体重を掛け難いものにできる。従って、座部の揺動に際し、使用者に、座部を大腿部で挟み込ませるようにしてバランスをとらせ大腿筋を自然と使用させるように誘発でき、揺動型運動装置本来の身体への運動効果を減少させるおそれの少ないものにできる。
【００４１】
又、使用者が間違って第１足指掛け部４１又は第２足指掛け部４２の足指載置部４３に、足の指以外の他の部分を載せた場合でも、第１足指掛け部４１又は第２足指掛け部４２が足の指を１本〜２本を載せうる程度の長さＬに形成されているため、その載せた他の部分に体重をかけることが難しい。従って、使用に際し、座部を大腿部で挟み込ませて大腿筋を自然と使用させるように誘発でき、揺動型運動装置本来の身体への運動効果を効率的に発揮させることができる。
【００４２】
尚、上記実施形態では、第１足指掛け部４１及び第２足指掛け部４２の吊り下げ部３から突出先端までの長さＬを、足の指を１本〜２本を載せうる程度の長さとしているが、この形態のものに限らず、適宜変更できる。
【００４３】
例えば第２足指掛け部４２の上記長さＬを、第二趾〜第四趾を載せうる程度の長さ、或いは、第二趾〜第五趾を載せうる程度の長さ、更にはそれ以上の長さにしても良い。
【００４４】
ただし、あまり長くなると、足の指以外の他の部分を載せて容易に体重をかけることができるようになるので、第二趾だけを載せうる程度の長さ、又は、第二趾と第三趾とを載せうる程度の長さにしておくのが好ましい。より好ましくは、第二趾だけを載せうる程度の長さにしておく。
【００４５】
第１足指掛け部４１の上記長さＬについても、上記第２足指掛け部４２と同様に、適宜変更できる。又、第１足指掛け部４１と第２足指掛け部４２とを異なる長さにしても良い。
【００４６】
又、上記実施形態では、第１足指掛け部４１及び第２足指掛け部４２の足指載置部４３を、吊り下げ部３から突出先端までの全長に渡って同高さにして水平状にしているが、この形態のものに限らず、適宜変更できる。
【００４７】
例えば図５に示すように、第１足指掛け部１４１及び第２足指掛け部１４２夫々の足指載置部１４３を、吊り下げ部３から突出先端に行くに従って、漸次高さの低くなる湾曲状（アーチ状）又は傾斜状に形成しても良い（図５は、湾曲状に形成した場合を例示）。
【００４８】
このように構成することにより、第１足指掛け部１４１及び第２足指掛け部１４２夫々に足を掛け易いものにできる。又、足の指以外の他の部分を載せた場合でも体重をかけ難いものにできる。
【００４９】
又、その場合において、第１足指掛け部１４１及び第２足指掛け部１４２の全体を湾曲状又は傾斜状に形成して足指載置部１４３を上記のように形成しても良いが、足指載置部１４３だけを湾曲状又は傾斜状に形成しても良い。
【００５０】
又、例えば図６に示すように、第１足指掛け部２４１及び第２足指掛け部２４２の上面に、上面から窪ませて形成した足指載置用凹部２４３を備えたものとし、この足指載置用凹部２４３を足指載置部としても良く、適宜変更できる。
【００５１】
これにより、足指掛け部に足の指を掛けた状態にしておいても、足の指が痛くなるおそれの少ないものにでき、指を掛けた状態を維持し易いものにできる。
【００５２】
さらには、図７に示すように、あぶみ２の吊り下げ部３における足の指の間に挟まれる左右両側部の少なくとも一方に、足指押圧用突片５を設けるようにしても良い（図７は、上記左右両側部の両方の夫々に、足指押圧用突片５を設けたものを例示）。
【００５３】
このような足指押圧用突片５を設けることによって、あぶみ２に足の指を掛けた際に、その吊り下げ部３を挟んで吊り下げ部３と対向した指の内側部に足指押圧用突片５を当てることができ、指を刺激して脳活性効果を期待できる。
【符号の説明】
【００５４】
１    揺動型運動装置
２    あぶみ
３    吊り下げ部
４    足指掛け部
５    足指押圧用突片
４１、１４１、２４１    第１足指掛け部
４２、１４２、２４２    第２足指掛け部
【図１】
2010188036.tif 000003
【図２】
2010188036.tif 000004
【図３】
2010188036.tif 000005
【図４】
2010188036.tif 000006
【図５】
2010188036.tif 000007
【図６】
2010188036.tif 000008
【図７】
2010188036.tif 000009